(57)【要約】【課題】シロアリの誘導装置および駆除方法についての誘導・駆除効率を改善し、自然に徘徊するシロアリを一時的に誘引する蟻道との連絡が円滑に行なえると共に、一度誘引したシロアリが駆除装置の餌材に対して確実に侵入して蟻道を形成する確率を高め、これにより実質的に駆除装置の効率を顕著に高めることのできるシロアリの誘導装置および駆除方法とすることである。【解決手段】段ボール紙１を介して２片の木質角材からなるシロアリ用餌材２、３を一体化したシロアリ用誘導路とし、この誘導路は、シロアリ用餌材２、３を各片に分割した際に段ボール紙１が層間剥離するようにシロアリ用餌材の各片２、３と段ボール紙１とを接着一体化したシロアリの誘導装置とする。シロアリ用餌材２、３を各片に分割し、次いで分割時に層間剥離した段ボール紙１を別途設けた駆除装置のシロアリ用餌材に沿わせておくと、シロアリが壊れた蟻道を修復する習性を発揮するので、速やかに既設の蟻道と連結するようになり、シロアリを駆除装置の殺蟻機能によって駆除することができる。【選択図】図２
2005287385.tif 000002
【特許請求の範囲】
【請求項１】
段ボール紙を介して２片のシロアリ用餌材を一体化したシロアリ用誘導路からなり、この誘導路は前記シロアリ用餌材を各片に分割した際に段ボール紙が層間剥離するようにシロアリ用餌材の各片と段ボール紙とを接着一体化してなるシロアリの誘導装置。
【請求項２】
請求項１に記載のシロアリの誘導装置を誘導対象シロアリによる既設の蟻道付近に設置し、段ボール紙およびシロアリ用餌材にシロアリが侵入している状態で前記シロアリ用餌材を各片に分割し、次いで分割時に層間剥離した段ボール紙を別途設けた駆除装置のシロアリ用餌材に沿わせて前記既設の蟻道と連結するように設置するシロアリの駆除方法。
【請求項３】
段ボール紙を介して２片のシロアリ用餌材を一体化した第１誘導路を設け、この第１誘導路から交差方向にシロアリが誘導されるように、段ボール紙を介して２片のシロアリ用餌材を一体化した第２誘導路を設け、これら第１誘導路または第２誘導路の少なくとも一方は、シロアリ用餌材を各片に分割した際、段ボール紙が層間剥離するようにシロアリ用餌材と段ボール紙とを接着一体化してなるシロアリの誘導装置。
【請求項４】
請求項３に記載の第１誘導路または第２誘導路の一方を地中に埋設し、段ボール紙およびシロアリ用餌材にシロアリが侵入した状態で他方の誘導路のシロアリ用餌材を各片に分割し、次いで分割時に層間剥離した段ボール紙を別途設けた駆除装置のシロアリ用餌材に沿わせて設置するシロアリの駆除方法。
【発明の詳細な説明】
【技術分野】
【０００１】
この発明は、シロアリを駆除または生息状況把握のために用いるシロアリの誘導装置およびこれを用いたシロアリの駆除方法に関する。
【背景技術】
【０００２】
シロアリは、等翅目に属する昆虫の総称であり、わが国にはイエシロアリ、ヤマトシロアリ、サツマシロアリ、カタンシロアリ、オオシロアリなどが棲息している。このようなシロアリ類のうち、特に木質の建造物を食害することが多く、建造物の強度や耐久性を低下させたり、予想外の災害を招く害虫と認められる種類に対して駆除装置や駆除方法が種々開発されている。
【０００３】
従来、シロアリの生息状況を把握したり、または駆除に用いる一般的なシロアリ誘引・駆除装置として、シロアリの出入り可能な開口部を有する容器内にシロアリが喫食や接触を好むセルロース質の餌やフェロモンまたはそれらの担持物質からなる誘引剤を収容したシロアリ誘引・駆除装置が知られており、松や栂などの木材またはその削り屑もしくはセルロース質のロール紙などが餌として用いられている。
【０００４】
このような装置において容器内にシロアリ駆除用の薬剤を収容しておくと、この薬剤を摂餌または接触したシロアリが駆除されると共に、このようなシロアリが帰巣後に死亡することで巣内に薬剤が散布され、営巣しているシロアリの群れ全体を駆除できる可能性がある（特許文献１参照）。
【０００５】
このようなシロアリの誘引・駆除装置は、シロアリの食害を防止するために、床下全体の広い面積に薬剤を散布する必要がなく、したがって建物に居住する人の健康を害することなく、また陸水域その他の生物環境保護上からも好ましい駆除手段であることが、近年広く認識されつつある。
【０００６】
ところで、シロアリ誘引・駆除装置を使用する場合に、生息しているシロアリをいかにして忌避させることなく装置内に誘導できるかという技術がこのような駆除装置の性能を左右するといっても過言ではない。
【０００７】
例えば、駆除装置にシロアリの導入口を形成した際、このシロアリの導入口に導入補助餌材を挿入して設けたシロアリ駆除装置が知られている。導入補助餌材としては、段ボールに湿り気を与えて使用するとシロアリを導入口から容器内に効率よく導入させることができる（特許文献２参照）。
【０００８】
【特許文献１】特開平９−３１３０８４号公報（段落［００１８］）
【特許文献２】特開２００１−３１４１４５号公報（請求項３、段落［００１８］）
【発明の開示】
【発明が解決しようとする課題】
【０００９】
しかし、上記した従来のシロアリの導入補助餌材は、シロアリの駆除装置の設置当初から併用しなければ使用できないものであり、せっかく誘引されたシロアリが、駆除装置の餌材を忌避して蟻道をつくらない場合もあり、実質的に駆除装置の効率を高める誘引性を導入補助餌材で充分に高めることは容易なことではなかった。
【００１０】
そこで、この発明の課題は、上記した問題点を解決して、シロアリの誘導装置および駆除方法についての誘導・駆除効率を改善し、自然に徘徊するシロアリを一時的に誘引する蟻道との連絡が円滑に行なえると共に、一度誘引したシロアリが駆除装置の餌材に対して確実に侵入して蟻道を形成する確率を高め、これにより実質的に駆除装置の効率を顕著に高めることのできるシロアリの誘導装置および駆除方法とすることである。
【課題を解決するための手段】
【００１１】
上記の課題を解決するために、この発明においては、段ボール紙を介して２片のシロアリ用餌材を一体化したシロアリ用誘導路からなり、この誘導路は前記シロアリ用餌材を各片に分割した際に段ボール紙が層間剥離するようにシロアリ用餌材の各片と段ボール紙とを接着一体化してなるシロアリの誘導装置としたのである。
【００１２】
上記した構造のこの発明のシロアリの誘導装置は、シロアリが段ボール紙の波板状紙材の隙間を蟻道に利用して侵入しやすいものである。そして、段ボール紙およびシロアリ用餌材にシロアリが侵入している状態でシロアリ用餌材を各片に分割した際に、段ボール紙が層間剥離してシロアリ用餌材の各片の一面に一部が破壊されたトンネル状の蟻道が残存するものになる。
【００１３】
シロアリ用餌材の各片の一面に残る一部が破壊されたトンネル状の蟻道は、シロアリによって直ちに修復される可能性が高いから、この部分を木材などの餌材に沿わせて設置すると、シロアリが前記餌材に沿って新しい蟻道を無理なく作り、既設の蟻道と誘引しようとする対象物との連結が速やかに行なえる。
【００１４】
また、同様にして、実質的に駆除装置の効率を高めるために、前記のシロアリ誘導装置を誘導対象シロアリによる既設の蟻道付近に設置し、段ボール紙およびシロアリ用餌材にシロアリが侵入している状態で前記シロアリ用餌材を各片に分割し、次いで分割時に層間剥離した段ボール紙を別途設けた駆除装置のシロアリ用餌材に沿わせて前記既設の蟻道と連結するように設置するシロアリの駆除方法としたのである。
【００１５】
上記したように構成したシロアリの駆除方法では、分割時に層間剥離した段ボール紙を別途設けた駆除装置のシロアリ用餌材に沿わせて前記既設の蟻道と連結するように設置することにより、シロアリ用餌材の各片の一面に残る一部の蟻道が、シロアリによって直ちに修復されることにより、駆除装置のシロアリ用餌材と一体となった蟻道が形成される。これにより自然環境で形成された蟻道から駆除装置のシロアリ用餌材へ誘導される確率が飛躍的に高まり、実質的に駆除装置の効率を顕著に高める。
【００１６】
また、前記の課題を解決する別の態様として、段ボール紙を介して２片のシロアリ用餌材を一体化した第１誘導路を設け、この第１誘導路から交差方向にシロアリが誘導されるように、段ボール紙を介して２片のシロアリ用餌材を一体化した第２誘導路を設け、これら第１誘導路または第２誘導路の少なくとも一方は、シロアリ用餌材を各片に分割した際、段ボール紙が層間剥離するようにシロアリ用餌材と段ボール紙とを接着一体化してなるシロアリの誘導装置を採用することもできる。
【００１７】
シロアリは、地中を移動して餌や水場を探す行動をする生物であるから、例えば第１誘導路をシロアリの生息する確率の高い地中に埋設することにより、シロアリを誘引する確立は高く、さらに延出部分または餌材の接触部などを介して第２誘導路へ侵入させ、この状態で例えば第２誘導路のシロアリ用餌材を各片に分割すると、２片のシロアリ用餌材に介在する段ボール紙が層間剥離して、各シロアリ用餌材上に一部が残る。
【００１８】
そして、この層間剥離した段ボール紙が残る部分を木材などの餌材に沿わせて設置すると、シロアリが前記餌材に沿って駆除装置と一体に新しい蟻道を無理なく速やかに作る。
【００１９】
この誘導装置を用いたシロアリの駆除方法は、上述したように、上記誘導装置の第１誘導路または第２誘導路の一方を地中に埋設し、段ボール紙およびシロアリ用餌材にシロアリが侵入した状態で他方の誘導路のシロアリ用餌材を各片に分割し、次いで分割時に層間剥離した段ボール紙を別途設けた駆除装置のシロアリ用餌材に沿わせて設置するシロアリの駆除方法である。
【発明の効果】
【００２０】
シロアリの誘導装置が、段ボール紙を介して２片のシロアリ用餌材を接着一体化したシロアリ用誘導路からなる発明では、層間剥離した段ボール紙をシロアリの習性によって再生させると同時に、シロアリが前記餌材に沿って新しい蟻道を無理なく作るから、既設の蟻道と、シロアリを誘引しようとする対象物との連結が速やかにかつ確実に行なえる利点がある。
【００２１】
また、上記のシロアリの誘導装置を用いたシロアリの駆除方法では、一度誘引したシロアリが駆除装置の餌材に対して確実に侵入して蟻道を形成する確率を高め、これにより実質的に駆除装置の効率を顕著に高めることのできる利点がある。
【００２２】
また、第１誘導路から交差方向に第２誘導路を設けたシロアリの誘導装置またはこれを用いた駆除方法に係る発明では、層間剥離した段ボール紙の残る部分を木材などの餌材に沿わせて設置すると、シロアリが駆除装置の餌材に沿って新しい蟻道を無理なく速やかに作るから、これにより実質的に駆除装置の効率を顕著に高めるシロアリの駆除装置または駆除方法となる利点がある。
【発明を実施するための最良の形態】
【００２３】
この発明の実施形態を以下に、添付図面に基づいて説明する。
図１および図２に示すように、第１実施形態は、段ボール紙１を介して２片の木質角材からなるシロアリ用餌材２、３を一体化したシロアリ用誘導路を示し（図１参照）、この誘導路は、シロアリ用餌材２、３を各片に分割した際に段ボール紙１が層間剥離するようにシロアリ用餌材の各片２、３と段ボール紙１とを接着一体化したシロアリの誘導装置である。
【００２４】
この発明に用いる段ボール紙１は、一般的に包装用や運送用の板紙の一種であり、その構造は波状に成形した紙４の片面または両面に板紙５を貼り合せたものである。図示したものは、２枚の板紙５の間に波状に成形した紙４を接着一体化したものを示している。
【００２５】
このような段ボール紙１は、２片のシロアリ用餌材２、３に対して防水性の接着剤によって、接着一体化され、湿らせた状態でよくシロアリを誘導するように使用することが好ましい。
【００２６】
シロアリの誘導装置を、誘導対象のシロアリによって自然環境下で既設の蟻道付近に設置しておくと、その習性により段ボール紙１およびシロアリ用餌材２、３を喫食して孔を形成しシロアリが侵入している状態になる。このとき図２に示すように、シロアリ用餌材２、３を各片に分割し、次いで分割時に層間剥離した段ボール紙１を別途設けた駆除装置のシロアリ用餌材（図示せず。）に沿わせておくと、シロアリが壊れた蟻道を修復する習性を発揮するので、速やかに既設の蟻道と連結するようになり、シロアリを駆除装置の殺蟻機能によって確実に駆除することができる。
【００２７】
図３および図４に示す第２実施形態は、段ボール紙１を介して木質角材からなる２片のシロアリ用餌材９、１０を接着一体化した第１誘導路１１を設け、この第１誘導路１１から直交方向に連続させて、２片のシロアリ用餌材６、７を段ボール紙１を介して接着一体化した第２誘導路８を設け、第２誘導路は、シロアリ用餌材６、７を各片に分割した際（図４参照）、段ボール紙が層間剥離してその分割面にそれぞれ板紙５および波状の紙４の一部が付着するように、シロアリ用餌材６、７と段ボール紙１とを接着一体化したシロアリの誘導装置である。
【００２８】
このようなシロアリの誘導装置を使用する態様としては、図５に示すシロアリ駆除装置に対してシロアリを誘導することが好ましい。
【００２９】
因みに、図５に示す駆除装置は、木質の角材１２を段ボール紙１３を介し接着剤により連結して、方形状の枠型状に形成し、その下面を合成樹脂製でダンボール紙と同構造の厚板１９で覆うと共に、シロアリの飲用水を粒体と共に容器に収容した水飲み装置１４を設置している。また、この装置の隣には、後の工程でシロアリの駆除用毒餌剤などを収容するためのスペーサー用の空容器１５を設置している。そして、木質の角材１２の外側には、要所に段ボール紙２０を接着して設け、シロアリの木材への侵入を促している。
【００３０】
なお、駆除装置の内縁は、シロアリの喫食行動を促すために。多数の切り込み１６を形成し、また上面は透明プラスチック板１７で覆い、さらにその上に断熱性の高いプレート（発泡樹脂板でもよい。）１８で覆っている。
【００３１】
このような駆除装置と第２実施形態を使用する場合、先ず、駆除装置を水で湿らせておき、シロアリ駆除装置全体を地面に浅く埋設すると共に、図４で示した第２実施形態のシロアリ用餌材６、７を各片に分割し直角状に配置したもの（図５中に鎖線で示した。）を方形状の枠型状の外側に沿わせて地面に埋設する。
【００３２】
このようにすると、地中を徘徊するシロアリが、埋設された誘導路から段ボール紙の蟻道に沿って誘導路に侵入し、さらに駆除装置の外側のダンボール紙２０と接するか、または接するように沿わせて配置された板紙５や波状の紙４の一部を利用して新しい蟻道を作りながら無理なく速やかに駆除装置内に侵入する。
【００３３】
この駆動装置には、シロアリの餌と共にシロアリが侵入して飲用できる水飲み装置（水入りの容器内に水面以上の高さに粒状物が充填されている装置）が設置されているので、水場と餌場が近接して設けられていることにより、営巣活動が活発化し、これにより駆除装置の駆除効率を顕著に高めるシロアリの駆除装置となる。
【図面の簡単な説明】
【００３４】
【図１】第１実施形態の斜視図
【図２】第１実施形態のシロアリ用餌材を各片に分割した状態を説明する斜視図
【図３】第２実施形態の斜視図
【図４】第２実施形態のシロアリ用餌材を各片に分割した状態を説明する斜視図
【図５】第２実施形態を駆除装置と共に使用した状態の斜視図
【符号の説明】
【００３５】
１、１３、２０  段ボール紙
２、３、６、７、９、１０  シロアリ用餌材
４  紙
５  板紙
８  第２誘導路
１１  第１誘導路
１２  角材
１４  水飲み装置
１５  空容器
１６  切り込み
１７  透明プラスチック板
１８  プレート
１９  厚板
【図１】
2005287385.tif 000003
【図２】
2005287385.tif 000004
【図３】
2005287385.tif 000005
【図４】
2005287385.tif 000006
【図５】
2005287385.tif 000007